(57)【要約】【課題】ヘルメットの保管場所を架台ごと任意に変更でき、しかもヘルメットを脱落することなく確実に掛け得るシンプルで低コスト、省スペースのヘルメット用架台を提供する。【解決手段】ヘルメット用架台１の前方に湾曲部２ａを形成した水平な桟部材２を背面と所定間隔おいて上下多段に架設し、背面の下端両側に脚部材３を奥行き方向に設け、背面の上端両側にビス孔を有する転倒防止金具４を上方に突設し、湾曲部２ａにヘルメットＨの曲面部を嵌入して背面と桟部材２の間に保持できるようにした。【選択図】          図１
2004147754.tif 000002
【特許請求の範囲】
【請求項１】
垂直に設置される背板の前方に水平な桟部材を背板と所定間隔おいて上下多段に架設し、ヘルメットをその開口部分が背板に向くように背板と桟部材の間に掛けて保持できるようにしたヘルメット用架台。
【請求項２】
桟部材が、板材の上端に所定深さの湾曲部を形成し、同湾曲部にヘルメットの曲面部を嵌入して保持できるようにしたものである請求項１記載のヘルメット用架台。
【請求項３】
湾曲部の上端に沿ってクッション材を設けた請求項２記載のヘルメット用架台。
【請求項４】
背板と桟部材の間に掛けられたヘルメットの内部又は開口部分が位置する箇所にヘルメット内に収まる大きさの消臭具・芳香具・乾燥具・消毒具の器具を設け、同器具の効能をヘルメット内部で作用するようにした請求項１〜３いずれか記載のヘルメット用架台。
【請求項５】
器具を背板前面に脱着自在に取り付けた請求項４記載のヘルメット用架台。
【請求項６】
背板が金属製で、器具の背面に磁性部材を設け、同磁性部材の磁力で器具を背板に脱着自在に取り付けできるようにした請求項５記載のヘルメット用架台。
【請求項７】
背板と桟部材の間に掛けられたヘルメットの内部又は開口部分が位置する箇所に空気を吹き出す吹出口を設け、同吹出口に空気を供給する空気供給手段を設け、空気をヘルメット内部に吹き付けて乾燥できるようにした請求項１〜６いずれか記載のヘルメット用架台。
【請求項８】
背板の下端両側に細長の脚部材を前方に突出するように設け、同脚部材の裏面に磁性材料からなる滑り止め部材を付設した請求項１〜７いずれか記載のヘルメット用架台。
【請求項９】
背板の上端両側にビス孔を有する板金具を上方に突設し、設置される壁面に前記板金具をビスで螺着して背板の転倒を防止できるようにした請求項１〜８いずれか記載のヘルメット用架台。
【発明の詳細な説明】
【０００１】
【発明の属する技術分野】
本発明はヘルメットを掛ける架台に関する。
【０００２】
【従来の技術】
従来、複数のヘルメットを未使用時に保管する際、壁面にネジ又は釘等で取り付けたＬ字状の掛止具に掛止していた。しかし、ヘルメットの保管場所が変更になった場合、壁面に取り付けた掛止具を別の場所に取り付け直す必要があって面倒であり、壁面に穿孔できない場合は掛止具を両面粘着テープで固着しており、長期間使用していると経年劣化で粘着力が低下して脱落してしまう問題があった。
【０００３】
【発明が解決しようとする課題】
本発明が解決しようとする課題は、従来のこれらの問題点を解消し、ヘルメットの保管場所を架台ごと任意に変更でき、ヘルメットを脱落することなく確実に掛け得るシンプルで低コスト、省スペースのヘルメット用架台を提供することにある。
【０００４】
【課題を解決するための手段】
かかる課題を解決した本発明の構成は、
１）  垂直に設置される背板の前方に水平な桟部材を背板と所定間隔おいて上下多段に架設し、ヘルメットをその開口部分が背板に向くように背板と桟部材の間に掛けて保持できるようにしたヘルメット用架台
２）  桟部材が、板材の上端に所定深さの湾曲部を形成し、同湾曲部にヘルメットの曲面部を嵌入して保持できるようにしたものである前記１）記載のヘルメット用架台
３）  湾曲部の上端に沿ってクッション材を設けた前記２）記載のヘルメット用架台
４）  背板と桟部材の間に掛けられたヘルメットの内部又は開口部分が位置する箇所にヘルメット内に収まる大きさの消臭具・芳香具・乾燥具・消毒具の器具を設け、同器具の効能をヘルメット内部で作用するようにした前記１）〜３）いずれか記載のヘルメット用架台
５）  器具を背板前面に脱着自在に取り付けた前記４）記載のヘルメット用架台
６）  背板が金属製で、器具の背面に磁性部材を設け、同磁性部材の磁力で器具を背板に脱着自在に取り付けできるようにした前記５）記載のヘルメット用架台
７）  背板と桟部材の間に掛けられたヘルメットの内部又は開口部分が位置する箇所に空気を吹き出す吹出口を設け、同吹出口に空気を供給する空気供給手段を設け、空気をヘルメット内部に吹き付けて乾燥できるようにした前記１）〜６）いずれか記載のヘルメット用架台
８）  背板の下端両側に細長の脚部材を前方に突出するように設け、同脚部材の裏面に磁性材料からなる滑り止め部材を付設した前記１）〜７）いずれか記載のヘルメット用架台
９）  背板の上端両側にビス孔を有する板金具を上方に突設し、設置される壁面に前記板金具をビスで螺着して背板の転倒を防止できるようにした前記１）〜８）いずれか記載のヘルメット用架台
にある。
【０００５】
【作用】
本発明によれば、ヘルメットをその開口部分が背板に向くように背板と桟部材の間に掛けて保持することで、保管場所を架台ごと任意に変更できるとともに奥行が小さくて場所をとらず、しかも従来の掛止具と比較して安定的に保管できて脱落しない。
【０００６】
【発明の実施の形態】
本発明の桟部材としては、板材の上端に所定深さの湾曲部を形成し、同湾曲部にヘルメットの曲面部を嵌入できるようにしたものが、ヘルメットを多少の振動でも脱落し難くして確実に保持できて好ましい。また、湾曲部の上端に沿ってクッション材を設けると、ヘルメットの曲面部を傷つけることがなく、さらに摩擦抵抗でより脱落し難くなる。
【０００７】
背板と桟部材の間に掛けられたヘルメットの内部又は開口部分が位置する箇所にはヘルメット内に収まる大きさの消臭具・芳香具・乾燥具・消毒具のいずれか又はそれらの組み合わせの器具を設けると、同器具の効能をヘルメット内部で作用させてヘルメット内部を清潔にしたり臭いを除去することができる。また、背板が金属製の場合は器具の背面に磁石やマグネットゴム等の磁性部材を設けると、同磁性部材の磁力で器具を背板に脱着自在に取り付けでき、取り付け位置も任意に変更できて好ましい。
【０００８】
また、前記と同様の背板と桟部材の間に掛けられたヘルメットの内部又は開口部分が位置する箇所には空気を吹き出す吹出口を設け、同吹出口に空気を供給するコンプレッサ等の空気供給手段を設けると、空気をヘルメット内部に吹き付けて乾燥できる。供給する空気は所定温度に熱した熱風としてもよいし、除湿した乾燥空気としてもよい。
【０００９】
背板の下端両側には細長の脚部材を前方に突出するように設け、同脚部材の裏面にマグネットゴム等の磁性材料からなる滑り止め部材を付設すると、架台に奥行きがなくても安定的に立設でき、設置面が金属の場合は磁力で確実に定位置に保持できる。また、背板の上端両側にビス孔を有する板金具を上方に突設すると、設置される壁面に前記板金具をビスで螺着して背板の転倒を防止できる。
【００１０】
【実施例】
以下、本発明の実施例を図面に基づいて具体的に説明する。図１〜３に示すのは、ヘルメットを上下左右に多段多列に収納できるようにしたヘルメット用架台の例である。図１は実施例のヘルメット用架台の斜視図、図２は実施例のヘルメット用架台の設置状態を示す側面図、図３は実施例のヘルメットの収納状態を示す説明図である。
【００１１】
図中、１はヘルメット用架台であって、枠状に組み立てたステンレススチールからなるフレーム１ａの天面と両側面と背面の各開放部分に電気亜鉛メッキ防錆処理を両面に施すとともに所望の色に着色塗装されたカラー鋼板からなるパネル１ｂを周縁がＬ字状となるように曲折加工してリベットでそれぞれ取り付け、前面と底面を開放させた高さ１８００ｍｍ、幅１１４５ｍｍ、奥行き１７４ｍｍの箱体に構成している。
【００１２】
２は桟部材であって、厚さ１２ｍｍ、高さ１３０ｍｍ、幅１１４０ｍｍのメラミン化粧板の上端に深さ１００ｍｍの湾曲部２ａを形成し、発泡ウレタン樹脂からなるクッション材２ｂをメラミン化粧板及びその湾曲部２ａの上端に沿って接着し、前記ヘルメット用架台１の前面に上下５段等間隔おいて両端をフレーム１ａにリベットで取り付けている。
【００１３】
３は脚部材であって、厚さ５ｍｍ、長さ５００ｍｍ、幅１００ｍｍの金属板の先端縁部を曲面に形成して表面をメッキ処理し、裏面に厚さ１ｍｍのシート状のマグネットゴムからなる滑り止め部材３ａを貼着し、前記ヘルメット用架台１のフレーム１ａの下端両側に前方側へ突出するようにリベットで取り付けている。
【００１４】
４は転倒防止金具であって、長さ１２５ｍｍ、幅１８ｍｍの金属板に５箇所ビス孔４ａを形成して表面を亜鉛メッキ処理し、ヘルメット用架台１のフレーム１ａの後上端に３箇所リベットで上方に突出するように強固に取り付けている。４ｂはビス、Ｈはヘルメット、Ｗは壁面である。
【００１５】
本実施例では、図２に示すようにヘルメット用架台１を壁面Ｗに背面を向けて配置し、必要に応じて上端の転倒防止金具４をビス４ｂで壁面Ｗに螺着することで強固に設置される。壁面Ｗに穿孔できない場合は省略しても良く、奥行き方向に取り付けた一対の脚部材３がヘルメット用架台１を定位置に安定的に保持する。
【００１６】
そして、図３に示すようにヘルメットＨの開口部分をヘルメット用架台１の背板である背面側のパネル１ｂに当接するとともにその曲面部を桟部材２の湾曲部２ａに嵌入するように掛けて収納する。このとき、湾曲部２ａにはクッション材２ｂが取り付けられているから、ヘルメットＨの表面を傷つけることがなく保護されるとともに摩擦抵抗でズレ難くなる。
【００１７】
ヘルメットＨはヘルメット用架台１の背面側のパネル１ｂと桟部材２の湾曲部２ａの間に無理なく収納されて安定しているから多少の振動でも脱落することがなく、一方、取出の際はヘルメットＨを持ち上げるだけで引っ掛かりなく容易に取り出しできる。また、ヘルメットＨの保管場所を変更する場合も、ヘルメット用架台１は軽量であるからヘルメットＨを収納した状態で容易に移動して任意の場所に短時間に設置し直すことができる。さらに、奥行き寸法もヘルメットＨの高さ分があればよく、薄型に形成できて場所をとらず、設置場所を選ばない。
【００１８】
図４に示すのはヘルメット用架台に消臭具を脱着自在に取り付けた実施例の他の例である。図４は実施例の他の例のヘルメットの収納状態を示す説明図である。図中、５は消臭具、６はマグネットである。
【００１９】
この例では、図４に示すように公知の消臭具５の裏面に薄板状のマグネット６を固着し、背面側のカラー鋼板製のパネル１ｂのヘルメットＨが収納される位置に前記消臭具５をマグネット６の磁力で脱着自在に取り付けている。
【００２０】
従って、ヘルメットＨを収納後、ヘルメットＨ内部の臭いを消臭具５で消臭し、消臭具５の効力が切れると新品に容易に取り替えることができる。また、パネル１ｂは金属製なので、ヘルメットＨの大きさ等に応じて消臭具５の取り付け位置を任意に微調整できる。その他、符号、構成、使用方法は実施例と同じである。
【００２１】
図５，６に示すのは、収納されたヘルメット内部に空気を送り込んで乾燥できるようにした実施例の他の例である。図５は実施例の他の例のヘルメット用架台の正面説明図、図６は実施例の他の例のヘルメットの収納状態を示す説明図である。図中、７は空気管、８は空気供給装置、８ａはコンセントプラグ、９は吹出器、９ａは吹出孔である。
【００２２】
この例では、図５に示すように背面側のパネル１ｂ前面に外部から供給された空気を送り出す空気管７を上下左右方向に配管し、同空気管７に空気を供給する空気供給装置８をヘルメット用架台１の上面に設け、空気管７のヘルメット開口部分が位置する箇所に前記空気管７で送り出された空気を吹き出す多数の吹出孔９ａが形成された吹出器９を取り付けている。
【００２３】
従って、ヘルメットＨを収納後、空気供給装置８を作動させると、外気が取り込まれた空気が空気管７を通って吹出器９に送り込まれ、吹出孔９ａから吹き出した空気をヘルメットＨ内部に吹き付けて乾燥できる。空気供給装置８は空気を任意の温度に熱して熱風としたり除湿して乾燥空気にできる機能を付加してもよい。
【００２４】
【発明の効果】
以上説明したように、本発明によればヘルメットの保管場所を架台ごと任意に変更でき、ヘルメットを脱落することなく確実に掛け得るシンプルで低コスト、省スペースのヘルメット用架台を提供できる。
【図面の簡単な説明】
【図１】実施例のヘルメット用架台の斜視図である。
【図２】実施例のヘルメット用架台の設置状態を示す側面図である。
【図３】実施例のヘルメットの収納状態を示す説明図である。
【図４】実施例の他の例のヘルメットの収納状態を示す説明図である。
【図５】実施例の他の例のヘルメット用架台の正面説明図である。
【図６】実施例の他の例のヘルメットの収納状態を示す説明図である。
【符号の説明】
１  ヘルメット用架台
１ａ  フレーム
１ｂ  パネル
２  桟部材
２ａ  湾曲部
２ｂ  クッション材
３  脚部材
３ａ  滑り止め部材
４  転倒防止金具
４ａ  ビス孔
４ｂ  ビス
５  消臭具
６  マグネット
７  空気管
８  空気供給装置
９  吹出器
９ａ  吹出孔
Ｈ  ヘルメット
Ｗ  壁面
【図１】
2004147754.tif 000003
【図２】
2004147754.tif 000004
【図３】
2004147754.tif 000005
【図４】
2004147754.tif 000006
【図５】
2004147754.tif 000007
【図６】
2004147754.tif 000008